(57)【要約】      （修正有）【課題】車椅子の座席の高さを、身障者の身長やベッドの高さに応じて調節できる車椅子を提供する。【解決手段】車椅子は、二つ割れ自在な座席５と、両側壁を有する車体と、上記二つ割れ自在な座席５を互いに離、接する方向に夫々側方に移動して開閉せしめる、座席５の開閉駆動手段９と、両側壁の夫々に設けた座席５の開閉駆動手段９の保持板１０と、座席５を車体に相対的に夫々上下動せしめる駆動手段１２とより成ることを特徴とする。【選択図】図１
2014136098.tif 000002
【特許請求の範囲】
【請求項１】
二つ割れ自在な座席と、両側壁を有する車体と、上記二つ割れ自在な座席を互いに離、接する方向に夫々側方に移動して開閉せしめる、夫々の座席の開閉駆動手段と、上記両側壁の夫々に設けた上記座席の開閉駆動手段の保持板と、上記座席を車体に相対的に夫々上下動せしめる駆動手段とより成ることを特徴とする車椅子。
【請求項２】
上記座席の開閉駆動手段が、基端を上記保持板に回動自在に枢支し、一方の遊端を上記二つ割りとした座席の夫々に枢支した、水平面内で互いに離間して平行に延びる第１、第２のＬ形リンクと、この第１、第２のＬ形リンクの他方の遊端を枢支せしめた作動杆とより成り、上記作動杆の駆動によって上記第１、第２のＬ形リンクが水平面内で同期して略９０°回動され上記二つ割れ座席を水平面内で互いに離、接する方向に移動せしめることを特徴とする請求項１記載の車椅子。
【請求項３】
上記座席を上下動せしめる駆動手段が、上記両側壁間に挿入される上記保持板の延長部分と、この延長部分から所定距離上方に離間して対向配置し上記側壁に固定した固定板と、その下部を上記保持板延長部分の前部に螺合し、その上部を上記固定板の前部に、固定板に相対的に回転自在であるが軸方向には移動されないよう連結した、上記側壁内を上方に延びる座席上下用前部垂直ねじ杆と、その下部を上記保持板延長部分の後部に螺合し、その中間部を上記固定板から上方に貫通突出せしめた座席上下用後部垂直ねじ杆と、上記座席上下用前部垂直ねじ杆と上記座席上下用後部垂直ねじ杆に夫々固定した鎖車と、この２つの鎖車に懸架したチェーンとより成ることを特徴とする請求項１または２記載の車椅子。
【発明の詳細な説明】
【技術分野】
【０００１】
本発明は、車椅子、特に、車体内の座席の下面に身障者移動用ベッドを挿入でき、座席が左右に二つ割れであり、開閉駆動手段によって夫々車体の側方に移動して開くことによって身障者が車内に入り得るようにした車椅子に関するものである。
【背景技術】
【０００２】
座席が左右の分割片に分割され、該左右の分割片は、互いの対向端縁が突き合う閉じた位置と、互いの対向端縁間が離れる開いた位置との間にわたって移動可能にフレーム体に支持され、該左右の分割片が開いた場合において、前記フレーム体および該左右の分割片間に、ベッド、トイレの座等の台上に腰をおろした状態の被介護者が台と共に進入可能である介護用椅子は特許文献１に示されている。
【０００３】
然しながら、このような車椅子では二つ割りされる座席を夫々車体に相対的に上下動せしめる構成を有せず座席の高さを身障者の身長やベッドの高さに合致せしめることができず、極めて不便であった。
【先行技術文献】
【特許文献】
【０００４】
【特許文献１】特開２０１２−１２５５１３号公報
【発明の概要】
【発明が解決しようとする課題】
【０００５】
本発明の目的は上記従来の車椅子の欠点を除くことにある。
【課題を解決するための手段】
【０００６】
本発明の車椅子は、二つ割れ自在な座席と、両側壁を有する車体と、上記二つ割れ自在な座席を互いに離、接する方向に夫々側方に移動して開閉せしめる、夫々の座席の開閉駆動手段と、上記両側壁の夫々に設けた上記座席の開閉駆動手段の保持板と、上記座席を車体に相対的に夫々上下動せしめる駆動手段とより成ることを特徴とする。
【０００７】
本発明の車椅子の上記座席の開閉駆動手段は、基端を上記保持板に回動自在に枢支し、一方の遊端を上記二つ割りとした座席の夫々に枢支した、水平面内で互いに離間して平行に延びる第１、第２のＬ形リンクと、この第１、第２のＬ形リンクの他方の遊端を枢支せしめた作動杆とより成り、上記作動杆の駆動によって上記第１、第２のＬ形リンクが水平面内で同期して略９０°回動され上記二つ割れ座席を水平面内で互いに離、接する方向に移動せしめることを特徴とする。
【０００８】
また、上記座席を上下動せしめる駆動手段は、上記両側壁間に挿入される上記保持板の延長部分と、この延長部分から所定距離上方に離間して対向配置し上記両側壁に固定した固定板と、その下部を上記保持板延長部分の前部に螺合し、その上部を上記固定板の前部に、固定板に相対的に回転自在であるが軸方向には移動されないよう連結した、上記側壁内を上方に延びる座席上下用前部垂直ねじ杆と、その下部を上記保持板延長部分の後部に螺合し、その中間部を上記固定板から上方に貫通突出せしめた座席上下用後部垂直ねじ杆と、上記座席上下用前部垂直ねじ杆と上記座席上下用後部垂直ねじ杆に夫々固定した鎖車と、この２つの鎖車に懸架したチェーンとより成ることを特徴とする。
【発明の効果】
【０００９】
本発明の車椅子によれば、座席を身障者の身長やベッドの高さに応じて車体に相対的に上下動でき身障者が極めて安全且つ便利に着席できるようになる。
【図面の簡単な説明】
【００１０】
【図１】本発明の車椅子の縦断側面図である。
【図２】本発明の車椅子の平面図である。
【図３】座席を閉じた状態における本発明の車椅子の座席開閉手段の底面図である。
【図４】座席を開いた状態における本発明の車椅子の座席開閉手段の一部の底面図である。
【図５】座席の上下動駆動手段の側面図である。
【発明を実施するための形態】
【００１１】
以下図面によって本発明の実施例を説明する。
【実施例１】
【００１２】
本発明の車椅子１は、図１に示すように背面と底面の一部が開放されている車体２と、この車体２を支持する前車輪３及び後車輪４と、車体２の後方に左右側方に２分割自在に設けた座席５と、上記車体２によって支持した手すり６と、上記座席５の下面と上記後車輪４の上面間に形成された、身障者移動用ベッドを挿入可能な間隙７と、上記車体２の前方上部に形成した身障者用スペース８と、上記座席５の開閉駆動手段９と、この開閉駆動手段９と上記座席５を保持するため上記車体２の両側壁１３の夫々によって上下動自在に支持せしめた保持板１０及びこの保持板１０の延長部分１１を車体２に相対的に上下動せしめる座席の上下動手段１２とにより構成し、車体２に対する座席の高さを身障者の身長やベッドの高さに応じて調節できるようにする。
【００１３】
上記車体２には例えば、両側の壁１３の下部を連結する床板１４と、上記壁１３の背面に形成した上記保持板１０のガイド用垂直溝１５とを設ける。
【００１４】
上記座席５の開閉駆動手段９は、図３及び図４に示すように夫々基端を上記保持板１０に回動自在に枢支し、夫々の一方の遊端を上記２つ割りとした座席５の一方に回動自在に枢支した、互いに離間した第１及び第２のＬ形リンク１６、１７と、この第１及び第２のＬ形リンク１６、１７の夫々の他方の遊端を枢支せしめた共通の作動杆１８と、この作業杆１８の水平移動を抑制するスプリング１９とにより構成し、この作動杆１８を移動手段２０を介して図３において左方に移動すれば、図３に示す位置の上記第１、第２のＬ形リンク１６、１７は夫々の基端を中心として時計方向に略９０°同期して回動し、これによって図４に示すように座席５の一方が車体２の側方外方に移動して閉状態から開状態となるようにする。
【００１５】
２つ割りとした座席５の他方に対しても上記移動開閉手段９と同様のものを設ける。
【００１６】
また、上記座席５の上下動手段１２は、上記両側壁１３間に挿入された上記保持板１０の延長部分１１と、この保持板延長部分１１の上面から例えば１５０ｍｍ上方に離間して対向配置して上記両側壁１３に固定した固定板２１と、上記保持板延長部分１１の前後部下面に固定した固定ナット２２ａ、２２ｂと、この後部固定ナット２２ｂに対応する位置で上記固定板２１の後部に設けた貫通孔２３と、その下部を上記保持板延長部分１１の前部固定ナット２２ａに螺合し、その上部を上記固定板２１の前部に、固定板２１に相対的に回転自在であるが、軸方向には移動されないように係合された、上記両側壁１３間を上方に垂直に延びる座席上下用前部垂直ねじ杆２４と、その下部を上記保持板１０の延長部分１１の後部に固定した固定ナット２２ｂに螺合し、ねじの付されていないその中間部及び上部を上記固定板２１の貫通孔２３を介して上方に貫通突出せしめ例えばカラー（図示せず）を介して上記固定板２１に相対的に軸方向には移動されないようにした座席上下用後部垂直ねじ杆２５と、上記座席上下用前部垂直ねじ杆２４の下端と、上記座席上下用後部垂直ねじ杆２５の下端に夫々固定した鎖車２６ａ、２６ｂと、この２つの鎖車２６ａ、２６ｂに懸架したチェーン２７とにより構成する。
本発明の車椅子１は上記のような構成であるから、その使用に際しては座席５の開閉駆動手段９における作動杆１８の移動手段２０を操作すれば、２つ割れの座席５が開閉されるようになる。
また、上記座席５の上下動手段１２における後部垂直ねじ杆２５の上端部２５ａを直接またはクランクシャフト２８等を介してその軸線周りに回動すれば、後部垂直ねじ杆２５、鎖車２６ｂ、チェーン２７、鎖車２６ａを介して前部垂直ねじ杆２４も回動し、これによって座席５及びその延長部分１１が例えば１５０ｍｍだけ車体２に相対的に上下に移動自在となる。
【符号の説明】
【００１７】
１ 車椅子
２ 車体
３ 前車輪
４ 後車輪
５ 座席
６ 手すり
７ 間隙
８ 身障者用スペース
９ 座席の開閉駆動手段
１０ 保持板
１１ 延長部分
１２ 座席上下動手段
１３ 側壁
１４ 床板
１５ 保持板ガイド用垂直溝
１６ Ｌ形リンク
１７ Ｌ形リンク
１８ 作動杆
１９ スプリング
２０ 移動手段
２１ 固定板
２２ａ 前部固定ナット
２２ｂ 後部固定ナット
２３ 貫通孔
２４ 座席上下用前部垂直ねじ杆
２５ 座席上下用後部垂直ねじ杆
２６ａ 鎖車
２６ｂ 鎖車
２７ チェーン
２８ クランクシャフト
【図１】
2014136098.tif 000003
【図２】
2014136098.tif 000004
【図３】
2014136098.tif 000005
【図４】
2014136098.tif 000006
【図５】
2014136098.tif 000007
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
二つ割れ自在な座席と、両側壁を有する車体と、上記二つ割れ自在な座席を互いに離、接する方向に夫々側方に移動して開閉せしめる、夫々の座席の開閉駆動手段と、上記両側壁の夫々に設けた上記夫々の座席の開閉駆動手段の保持板と、上記夫々の座席を車体に相対的に夫々上下動せしめる駆動手段とより成り、上記座席の開閉駆動手段が、基端を上記保持板に回動自在に枢支し、一方の遊端を上記二つ割りとした座席の夫々に枢支した、水平面内で互いに離間して平行に延びる第１、第２のＬ形リンクと、この第１、第２のＬ形リンクの他方の遊端を枢支せしめた作動杆とより成り、上記作動杆の駆動によって上記第１、第２のＬ形リンクが水平面内で同期して略９０°回動され上記二つ割れ座席を水平面内で互いに離、接する方向に移動せしめ、上記座席を上下動せしめる駆動手段が、上記両側壁間に挿入される上記保持板の延長部分と、この延長部分から所定距離上方に離間して対向配置し上記側壁に固定した固定板と、その下部を上記保持板延長部分の前部に螺合し、その上部を上記固定板の前部に、固定板に相対的に回転自在であるが軸方向には移動されないよう連結した、上記側壁内を上方に延びる座席上下用前部垂直ねじ杆と、その下部を上記保持板延長部分の後部に螺合し、その中間部を上記固定板から上方に貫通突出せしめた座席上下用後部垂直ねじ杆と、このねじ杆を回動するためこのねじ杆の上端部に係合したクランのシャフトと、上記座席上下用前部垂直ねじ杆と上記座席上下用後部垂直ねじ杆に夫々固定した鎖車と、この２つの鎖車に懸架したチェーンとより成ることを特徴とする車椅子。
【手続補正２】
【補正対象書類名】明細書
【補正対象項目名】０００６
【補正方法】変更
【補正の内容】
【０００６】
本発明の車椅子は、二つ割れ自在な座席と、両側壁を有する車体と、上記二つ割れ自在な座席を互いに離、接する方向に夫々側方に移動して開閉せしめる、夫々の座席の開閉駆動手段と、上記両側壁の夫々に設けた上記夫々の座席の開閉駆動手段の保持板と、上記夫々の座席を車体に相対的に夫々上下動せしめる駆動手段とより成ることを特徴とする。
【手続補正３】
【補正対象書類名】明細書
【補正対象項目名】０００８
【補正方法】変更
【補正の内容】
【０００８】
また、上記座席を上下動せしめる駆動手段は、上記両側壁間に挿入される上記保持板の延長部分と、この延長部分から所定距離上方に離間して対向配置し上記両側壁に固定した固定板と、その下部を上記保持板延長部分の前部に螺合し、その上部を上記固定板の前部に、固定板に相対的に回転自在であるが軸方向には移動されないよう連結した、上記側壁内を上方に延びる座席上下用前部垂直ねじ杆と、その下部を上記保持板延長部分の後部に螺合し、その中間部を上記固定板から上方に貫通突出せしめた座席上下用後部垂直ねじ杆と、このねじ杆を回動するためこのねじ杆の上端部に係合したクランのシャフトと、上記座席上下用前部垂直ねじ杆と上記座席上下用後部垂直ねじ杆に夫々固定した鎖車と、この２つの鎖車に懸架したチェーンとより成ることを特徴とする。